(57)【要約】【課題】ソファーとして使用しているときに支持部が背もたれ部後面下部の座部後面近傍に人が接近することを阻んで安全を図り、またベッドとして使用するときは背もたれ部が水平状態を維持できるようにしたソファー兼用ベッドを提供すること。【解決手段】背もたれ部４が、起立状態では少なくとも背もたれ部４後面下部と座部２の後面を覆い、この背もたれ部４が略水平状態では背もたれ部４下面に位置する覆板８が、背もたれ部４の裏面側に設けられているので、ソファーとしての使用時に、覆板８により背もたれ部４後面下部と座部２後面への人の接近が阻まれるとともに、ベッドとしての使用時には覆板８が背もたれ部４の補強支持板となって背もたれ部４の撓みが防止される。【選択図】  図２
2004160017.tif 000002
【特許請求の範囲】
【請求項１】
本体フレームに固設された略水平な座部と、前記座部の後方で起立する起立状態と、前記座部の後方で座部と連続して略水平をなす水平状態との間で本体フレームに対し回動可能に支持された背もたれ部とを有するソファー兼用ベッドにおいて、
前記背もたれ部の裏面側に、該背もたれ部の起立状態では、少なくとも背もたれ部後面下部と座部後面を覆い、該背もたれ部の略水平状態では、背もたれ部下面に位置する覆板を設けたことを特徴とするソファー兼用ベッド。
【請求項２】
前記覆板は、前記背もたれ部が水平状態から起立状態に移行したとき、その起立状態を維持するロック機構をソファー時にもベッド時にも常に覆うことができる請求項１に記載のソファー兼用ベッド。
【請求項３】
前記覆板の背面側に把持棒が略水平に配設されている請求項１または２に記載のソファー兼用ベッド。
【発明の詳細な説明】
【０００１】
【発明の属する技術分野】
本発明は、本体フレームに固設された略水平な座部と、前記座部の後方で起立する起立状態と、前記座部の後方で座部と連続して略水平をなす水平状態との間で本体フレームに対し回動可能に支持された背もたれ部とを有するソファー兼用ベッドに関する。
【０００２】
【従来の技術】
この種のソファー兼用ベッドにおいて、背もたれ部を起立させたソファーとして使用している場合に、その背もたれ部後面下部と座部後面近傍に、背もたれ部を起立状態に維持したり、或いは背もたれ部を水平状態にするための揺動支持部が設けられている（特許文献１参照）。
【０００３】
【特許文献１】
実公昭４１−２００４３号公報（第１−２頁、第１図、２図）
【０００４】
【発明が解決しようとする課題】
ところで、上記特許文献１に記載のものは、背もたれ部を起立状態に維持したり、或いは背もたれ部を水平状態にするための揺動支持部が背もたれ部後面下部の座部後面近傍にむき出しになっているために、ソファーとして使用しているときに揺動支持部が直接目に触れて美観上好ましいものとはいえず、またソファーの背後に人が接近したときに、ズボン等が汚れたり、手足が触れて傷つく恐れがあった。一方、ベッドとして使用する場合に、背もたれ部背面にその長さ方向に亘って補強体がないので、人の荷重がかかったときに水平状態においた背もたれ部が撓んでしまう恐れもあった。
【０００５】
本発明は、このような状況に鑑みてなされたもので、ソファーとして使用しているときに支持部が背もたれ部後面下部の座部後面近傍に人が接近することを阻んで安全を図り、またベッドとして使用するときは背もたれ部が水平状態を維持できるようにしたソファー兼用ベッドを提供することを目的とするものである。
【０００６】
【課題を解決するための手段】
上記課題を解決するために、本発明のソファー兼用ベッドは、本体フレームに固設された略水平な座部と、前記座部の後方で起立する起立状態と、前記座部の後方で座部と連続して略水平をなす水平状態との間で本体フレームに対し回動可能に支持された背もたれ部とを有するソファー兼用ベッドにおいて、前記背もたれ部の裏面側に、該背もたれ部の起立状態では、少なくとも背もたれ部後面下部と座部後面を覆い、該背もたれ部の略水平状態では、背もたれ部下面に位置する覆板を設けたことを特徴としている。
この特徴によれば、ソファーとしての使用時に、覆板により背もたれ部後面下部と座部後面への人の接近が阻まれるとともに、ベッドとしての使用時には覆板が背もたれ部の補強支持板となって背もたれ部が撓むのが防止される。
【０００７】
本発明のソファー兼用ベッドにおいて、前記覆板は、前記背もたれ部が水平状態から起立状態に移行したとき、その起立状態を維持するロック機構をソファー時にもベッド時にも常に覆うことができるようにすることが好ましい。
このようにすれば、ロック機構が覆板により隠されているので、人が直接触れることを阻止でき、しかも悪戯される心配もないので安全性の向上が図れる。
【０００８】
本発明のソファー兼用ベッドにおいて、前記覆板の背面側に把持棒が略水平に配設されていることが好ましい。
このようにすれば、把持棒により、背もたれ部を水平状態から起立状態に、或いはその逆に起立状態から水平状態に移行するときの操作棒として役立つばかりでなく、ソファーとしての使用時に、手摺りとして機能させることができる。
【０００９】
【発明の実施の形態】
以下、本発明の実施例を図面に基づいて説明する。
【００１０】
図１〜図３は本発明の一実施形態を示すもので、図１はソファー兼用ベッドの斜視図であって、（ａ）は背もたれ部が起立状態にあるソファー兼用ベッドを正面から視た斜視図、（ｂ）はソファー兼用ベッドを後方から視た斜視図、（ｃ）は背もたれ部を座部の後方で座部と連続する水平状態に移行したベッド状態を示す斜視図、図２は図１（ａ）のＡ−Ａの断面図であり、図３は図１（ｃ）のＣ−Ｃの断面図である。
【００１１】
図１において、符号１はソファー兼用ベッドであって、このソファー兼用ベッド１は、後述する本体フレームＦ（図２参照）に固設された略水平な座部２と、背もたれ部４とで構成され、背もたれ部４は、座部２の後方で起立する起立状態と、座部２の後方で座部２と連続して略水平をなす水平状態との間で回動可能に本体フレームＦに支持されている。
【００１２】
更に、ソファー兼用ベッド１は、背もたれ部４が起立状態に移行した時には自動的にロックがかかり、背もたれ部４を起立状態に維持する左右一対の自動ロック機構１４ａ、１４ｂを備えている。
【００１３】
詳しくは、図２に示すように、背もたれ部４の座部２側に近接する左右端部に固設された一対のブラケット１５と、座部２の左右端部に固設された一対のブラケット１６が、背もたれ部４と座部２の対向する角部上方に配設された枢軸１８に回動可能に枢着されている。
【００１４】
また、背もたれ部４と本体フレームＦ間には、枢軸１８を中心として回動させて起立状態から水平状態に移行する際の衝撃を緩和するために、回動時の慣性力を制限するために例えばショックアブソーバ２０を備えている。
【００１５】
このショックアブソーバ２０は、シリンダ２０ａと、このシリンダ２０ａ内に摺動可能に挿嵌され内部に絞り弁が組込まれたピストンとから構成されており、背もたれ部４が起立状態から水平状態に移行する際にロッド２０ｂを介してシリンダ２０ａ内を移動するピストンの圧縮作用により、ヘッド側の部屋からロッド側の部屋に流れる高圧ガスを絞り弁により絞ることでピストンの移動時における速度を制限している。
【００１６】
このショックアブソーバ２０は、ロッド２０ｂの先端が座部２を支持する本体フレームＦの前方上面に設けられた支持部２２ａに回動可能に枢着されると共に、シリンダ２０ａのヘッド側も背もたれ部４の座部２に対向する側面下方に設けられた支持部２２ｂに回動可能に枢着されている。
【００１７】
このソファー兼用ベッド１の左右両端には、下面前後にキャスタ７を配置した一対の肘当て部となる支持側板５ａ、５ｂを有すると共に、図１（ａ）に示されるように、背もたれ部４の長手方向内方に形成された２箇所の肘当て用貫通溝９ａ、９ｂに収納可能な一対の肘当てアーム６ａ、６ｂが突設している。
【００１８】
肘掛けアーム６ａ、６ｂが不使用時にあるときは、背もたれ部４の肘当て用貫通溝９ａ、９ｂ内に背もたれ部４の表面側と面一に収容できるように構成されている。これにより、図１（ｃ）に示すようにベッドとして使用するときは座部２と背もたれ部４の全面を平坦な状態にすることができる。
【００１９】
また、本体フレームＦの左右端に設けられた垂直の支持側板５ａ、５ｂ高さは、使用時における両肘当てアーム６ａ、６ｂの上面高さとほぼ同じ高さになるよう構成されている。
【００２０】
背もたれ部４の裏面側には、起立状態において少なくとも背もたれ部４の後面下部と座部２の後面を覆い、この背もたれ部４が略水平状態のときは、背もたれ部４下面に位置する覆板８が設けられており、背もたれ部４の背面側には、全長に亘って把持棒Ｈが横設されている。
【００２１】
更に、この覆板８は、背もたれ部４が起立状態において、支持側板５ａ、５ｂの上面と略同一高さに設けられ、背もたれ部４が略水平状態では、背もたれ部４の下面を支持する補強支持板としての機能を有しており、背もたれ部４の下部に位置することでベッドとして使用する際の邪魔になることがない。
【００２２】
次に、自動ロック機構１４ｂに付き図２〜図３を参照して詳述する。自動ロック機構１４ａ、１４ｂはは同一構造であるので他方の自動ロック機構１４ａに係る説明は省略する。
【００２３】
この自動ロック機構１４ｂは、ソファー兼用ベッド１の左右端における両支持側板５ａ、５ｂ近傍の本体フレームＦに内方に向けて突設するロックピン２４と、背もたれ部４と一体的に回動できるように固設されたロックピン２４を把持することが可能なロックピン把持体２５とから構成されている。
【００２４】
そして、自動ロック機構１４ｂは、背もたれ部４が水平状態から起立状態に移行したとき、その起立状態を維持することができ、ソファー時においてもベッド時においても覆板８によって常に覆われるようになっている。
【００２５】
ロックピン把持体２５は、その片側側面に形成される把持部２５ａの両側に、ロックピン２４を把持する図示しない一対の把持爪が開閉可能に配置され、開放状態にある把持爪の中央をロックピン２４により内部に押圧する作用でこのロックピン２４が弾力的に自動把持されるように構成されている。
【００２６】
これらロックピン２４は、枢軸１８を中心とするロックピン把持体２５の把持部２５ａを半径とする円弧上に配設されており、背もたれ部４が水平状態から起立状態に移行する回動作用によって、ロックピン２４は、ロックピン把持体２５の把持部２５ａに一対の把持爪を介して自動的にロックされるようになっている。
【００２７】
図１（ａ）に示すように、座部２の略中央部下面には左右の自動ロック機構１４ａ、１４ｂのロックを同時に解除する解除操作部１２が設けられており、この解除操作部１２は、操作レバー２６とワイヤーＷを介して連結されている。
【００２８】
そこで、起立状態にあるソファー兼用ベッド１を、ベッドとして使用する際は、背もたれ部４を水平状態へ移行するために解除操作部１２の解除操作を行うと、一対のワイヤーＷを介してロックピン把持体２５の操作レバー２６が把持爪を開放しロックピン２４のロックが解除される。
【００２９】
これにより、ロックが解除された背もたれ部４は、起立状態から後方に押されることで枢軸１８を中心として時計回り（下方に）回動し、背もたれ部４の後面が左右端における両支持側板５ａ、５ｂの本体フレームＦから内側に対面して突設した一対のストッパ２８に当接することで水平状態に保持することができる。
【００３０】
次に、水平状態にあるソファー兼用ベッド１をソファーとして使用する際は、背もたれ部４を起立状態へ移行するために、水平状態にある背もたれ部４背面の把持棒Ｈを持って持ち上げた際、背もたれ部４が枢軸１８を中心として反時計回り（上方に）回動する動作と同時にロックピン把持体２５が回動することで、左右のロックピン２４が把持部２５ａにより把持されて自動的にロックされ起立状態が保持される。
【００３１】
上記のように構成されたソファー兼用ベッド１によれば、この背もたれ部４が、起立状態では少なくとも背もたれ部４後面下部と座部２の後面を覆い、この背もたれ部４が略水平状態では背もたれ部４下面に位置する覆板８が、背もたれ部４の裏面側に設けられているので、ソファーとしての使用時に、覆板８により背もたれ部４後面下部と座部２後面への人の接近が阻まれるとともに、ベッドとしての使用時には覆板８が背もたれ部４の補強支持板となって背もたれ部４の撓みが防止される。
【００３２】
また、背もたれ部４が水平状態から起立状態に移行したとき、その起立状態を維持する自動ロック機構１４ａ、１４ｂをソファー時にもベッド時にも常に覆うことができるようにすることで、自動ロック機構１４ａ、１４ｂが覆板８により隠されて人が直接触れることを阻止でき、しかも悪戯される心配もないので安全性の向上が図れる。
【００３３】
次に、ソファー兼用ベッドの覆板の背面側に把持棒を配設した例に付き、図４を参照して説明する。図４は覆板の背面側に把持棒を略水平に配設したソファー兼用ベッドを後方から視た斜視図である。
【００３４】
図４に示すソファー兼用ベッドは、把持棒Ｈ′が、覆板８の背面側の上方に略水平に横設されている。このように把持棒Ｈ′を配置することで、背もたれ部４を水平状態から起立状態に、或いはその逆に起立状態から水平状態に移行するときの操作棒として役立つばかりでなく、ソファーとしての使用時に、手摺りとして機能させることができる。
【００３５】
【発明の効果】
本発明は以下の効果を奏する。
【００３６】
（ａ）請求項１項の発明によれば、ソファーとしての使用時に、覆板により背もたれ部後面下部と座部後面への人の接近が阻まれるとともに、ベッドとしての使用時には覆板が背もたれ部の補強支持板となって背もたれ部が撓むのが防止される。
【００３７】
（ｂ）請求項２項の発明によれば、ロック機構が覆板により隠されているので、人が直接触れることを阻止でき、しかも悪戯される心配もないので安全性の向上が図れる。
【００３８】
（ｃ）請求項３項の発明によれば、把持棒により、背もたれ部を水平状態から起立状態に、或いはその逆に起立状態から水平状態に移行するときの操作棒として役立つばかりでなく、ソファーとしての使用時に、手摺りとして機能させることができる。
【図面の簡単な説明】
【図１】本発明の一実施形態に係るソファー兼用ベッドの斜視図であって、（ａ）は背もたれ部が起立状態にあるソファー兼用ベッドを正面から視た斜視図、（ｂ）はソファー兼用ベッドを後方から視た斜視図、（ｃ）は背もたれ部を座部の後方で座部と連続する水平状態に移行したベッド状態を示す斜視図である。
【図２】図１（ａ）のＡ−Ａ断面図である。
【図３】図１（ｃ）のＣ−Ｃ断面図である。
【図４】覆板の背面側に把持棒を略水平に配設したソファー兼用ベッドを後方から視た斜視図である。
【符号の説明】
１                    ソファー兼用ベッド
２                    座部
４                    背もたれ部
５ａ、５ｂ            支持側板
６ａ、６ｂ            肘当てアーム
７                    キャスタ
８                    覆板
９ａ、９ｂ            肘当て用貫通溝
１２                  解除操作部
１４ａ、１４ｂ        自動ロック機構
１５、１６            ブラケット
１６                  ブラケット
１８                  枢軸
２０                  ショックアブソーバ
２０ａ                シリンダ
２０ｂ                ロッド
２２ａ、２２ｂ        支持部
２４                  ロックピン
２５                  ロックピン把持体
２５ａ                把持部
２６                  操作レバー
２８                  ストッパ
Ｆ                    本体フレーム
Ｈ、Ｈ′              把持棒
Ｗ                    ワイヤー
【図１】
2004160017.tif 000003
【図２】
2004160017.tif 000004
【図３】
2004160017.tif 000005
【図４】
2004160017.tif 000006